(57)【要約】【課題】本の厚みが変わってもそれに対応して良好なカバーを行うことができ、且つ本に対する装着が容易で簡単にでき、また取り外しも容易にできるブックカバーの提供を課題とする。【解決手段】表表紙を入れるポケット５を持った本体Ａ部１と、裏表紙を入れるポケット８を持った本体Ｂ部２の二体からなり、本体Ａ部に作られた連結部９が、本体Ｂ部側に作られた挿入穴１０に挿入されて、一体化するとともに厚み調整幅Ｔだけスライドすることにより、カバー総長Ｌを可変とし、異なる本の厚さに対応する。１２ａ、１２ｂはストッパーであり、可変範囲を制限すると共に本体Ａ部とＢ部の分離を防ぐ。連結部９の端はポケット８内に収まる。【選択図】図２
2010162855.tif 000002
【特許請求の範囲】
【請求項１】
本の表表紙差込用ポケット部を設けた、ほぼ開いた本の横幅に相当する長さを持った本体Ａ部と、裏表紙差込用ポケット部を設けた、ほぼ裏表紙の横幅に相当する長さを持った本体Ｂ部の、独立した二体からなり、本体Ａ部で、ポケット部の反対側の端に設けた連結部が、本体Ｂ部の中ほどに設けられた挿入穴に挿入される事により、二体が連結されると共に二体の双方が相対的にスライドする事により、そのブックカバー総長が変更でき、異なる本の厚みに対応できるようにしたことを特徴とするブックカバー。
【請求項２】
本体Ａ部の連結部のさらに端に設けたストッパー部は、挿入穴に曲げて挿入され、挿入後に元にもどすことに依り、スライド幅を制限すると共に本体Ａ部と本体Ｂ部の分離を防ぐ事を特徴とする請求項１に記載のブックカバー。
【請求項３】
挿入穴から挿入された連結部はポケット内に収まり、ポケットに覆い隠されることを特徴とした請求項１及び請求項２に記載のブックカバー。
【発明の詳細な説明】
【技術分野】
【０００１】発明は、厚みに対してフリーサイズなブックカバーに関する。
【背景技術】
【０００２】本の大きさは、本の縦と横の寸法が同じでも厚みは異なるのが普通である。その為、それらの異なった厚みの本を一つのブックカバーではカバーできなかった。この問題を解決する方法として、例えば（特許文献１）特開平９−２７７７４１及び同一出願人による（特許文献２）特開２００７−２６１２３０が開示されている。
【先行技術文献】
【特許文献】
【０００３】
【特許文献１】特開平９−２７７７４１号公報
【特許文献２】特開２００７−２６１２３０号公報
【発明の概要】
【発明が解決しようとする課題】
【０００４】しかし、上記（特許文献）に於いては、一対のカバー片が書籍の背表紙の位置で、複雑に重ね合わされ、かつカバーの外側にその係合部が露出されており、そこが磨耗・破損し易すかった。また外観上も良くなく、カバーも脱離することがあった。そこで同一出願人による（特許文献２）に見られる解決手段、すなわち、その係合部を別の覆片で覆い隠し、さらに保持片も追加しカバーの脱離を防ぐ方法が講じられた。【０００５】しかし、この対策も含め、カバーの構成は一段と複雑になった。また、本の背の部分は、読書時や携帯時に最も手に触れるところであり、そこに、重ね合わされた係合部を作ったり、新たな覆片を追加することは、外観上ばかりか、使用感も良くなかった。【０００６】さらに保持片を付けたとしても、使用に際しては、カバー上に本を載せ、両端を単に折り込むだけであるため、カバーと本が安定に固定されず、常にズレ易かった。これは、カバーの表表紙部と裏表紙部が、最も変形し易い本の背部で連結されているためであり、これが、そのズレを助長していた。【０００７】さらに（特許文献１）では、カバー片１とカバー片２とが簡単に分離して、書籍から脱落することを防止するために、「組み立て後に連絡部を、縫合などにより結合する」と言う手間のかかる解決策が示されていた。【０００８】そこで本発明は、上記従来の欠点を解消し、よりシンプルな構成で、作りやすく、外観もよく、着脱しやすく、安定して使い勝手が良く、使用感や耐久性にも優れた、本の厚みに対してフリーなブックカバーを提供する事を課題とする。
【課題を解決するための手段】
【０００９】上記課題を解決するために、請求項１記載のブックカバーは本の表表紙差込用ポケット部を設けた、ほぼ開いた本の横幅に相当する長さを持った本体Ａ部と、裏表紙差込用ポケット部を設けた、ほぼ裏表紙の横幅に相当する長さを持った本体Ｂ部の、独立した二体からなり、本体Ａ部で、ポケット部の反対側の端に設けた連結部が、本体Ｂ部の中ほどに設けられた挿入穴に挿入される事により、二体が連結されると共に二体の双方が相対的にスライドする事により、そのブックカバー総長が変更でき、異なる本の厚みに対応できるようにしたことを第一の特徴としている。また本体Ａ部の連結部のさらに端に設けたストッパー部は、挿入穴に曲げて挿入され、挿入後に元にもどすことに依り、スライド幅を制限すると共に本体Ａ部と本体Ｂ部の分離を防ぐ事を第二の特徴としている。また、挿入穴から挿入された連結部はポケット内に収まり、ポケットに覆い隠されることを第三の特徴としている。
【発明の効果】
【００１０】本発明は次のような効果を奏する。請求項１に記載されている発明は、挿入穴と連結部が共に裏表紙側の平面上にあり、背表紙部にはそれらの構造部が無いので、連結を安定させるばかりか、背表紙部をすっきりさせ、外観も良く、読書時や携帯時に、手に受ける使用感も良い。【００１１】また、本の表紙が両側のポケットに挿入され固定されるため、カバーの装着安定度が増す。【００１２】また、本体Ａ部には（特許文献１）（特許文献２）で云うところの「両側舌部」や、これと「中央舌部」との間に出来る「隙間」が無く、シンプルで扱い易い。また本体Ｂ部には、（特許文献１）（特許文献２）で云うところの「係合端」でわずかに繋がっている「中央舌部」は不要であり、挿入穴は本体Ｂ部の中ほどに開けることができ、連結部の設計自由度が増し、使用時の耐久性も増す。【００１３】また、請求項２に記載の発明は、ストパー部が挿入穴に挿入される連結部側にあり、且つ、縫合等の新たな接合をすること無く、単なる裁断形状のみで形成できる。【００１４】さらに請求項３の発明のは、挿入穴を通った連結部は本体Ｂ部の平坦なポケット部に収まり、且つ隠れるため、カバーの安定も良く、ストッパー部の変形も抑えられ、外観も非常にすっきりさせることができる。
【図面の簡単な説明】
【００１５】
【図１】組み立て前の裁断形状を示す平面図である。
【図２】出来上がりを示す構成図である。
【図３】本に装着している斜視図である。
【図４】カバーに装着された本を示す斜視図である。
【図５】他の例を示す斜視図である。
【図６】他の例を示す斜視図である。
【発明を実施するための形態】
【００１６】以下、本発明の実施例を図面と共に説明する。図１は、本発明に係わるブックカバーで、組み立て前の素材裁断形状の一例を示す平面図。図２は、出来上がったブックカバーを示す構成図。図３は、本にブックカバーを装着する仕方を示す斜視図。図４は、ブックカバーが装着された本を示す斜視図である。
【００１７】図１、図２を参照して、本発明のブックカバーは、革や厚紙、プラスチックなどのシート状の素材を裁断して成る本体Ａ部１、及び本体Ｂ部２、の基本的には二体の組み立てから構成される。
【００１８】本体Ａ部１は折り曲げ線３で谷折りされ、上のり代部４ａと下のり代部４ｂで接着や縫い合わせにより接合され、図２の表表紙差込用ポケット５を形成する。同様に本体Ｂ部２も折り曲げ線６で谷折りされ、上のり代部７ａと下のり代部７ｂで接合され、裏表紙差込用ポケット８を形成する。
【００１９】本体Ａ部１の横幅ｂ１は本の表紙の横寸法ｂ３の２倍に、想定する本の厚みｔ１の最小値を加えた程度とする。本体Ｂ部２の横幅ｂ２は、本の表紙の横寸法ｂ３より若干短い程度とする。
【００２０】図２で、ａ３はポケットに差し込まれる本の表紙の縦寸法を示し、ポケット幅ａ４はその表紙の縦寸法ａ３より少し大き目に作り、利用時の表紙の出し入れを容易にする。ａ５はブックカバーの縦寸法であり、ポケット幅ａ４に上下のり代を加えた値である。  ポケットの深さｐ１、は原則的には任意であるが、表紙の出し入れと利用時のカバーの外れを考慮して、その表紙の横寸法ｂ３の半分程度とする。
【００２１】図１にもどり、本体Ａ部１の左端側には連結部幅ａ１と調整しろＴで囲まれた連結部９を作り、本体Ｂ部２の後述する位置Ｌ１に設けられたスリット状の挿入穴１０に矢印１１で示す方向から挿入する。ここで、曲線部ｃは単なる見た目のデザイン形状である。    また、連結部９のさらに左側の上、下に設けられた１２ａ、１２ｂは後述するストッパーであるが、挿入穴１０に挿入される時は曲げて入れ、挿入後は元の形状に戻される。
【００２２】挿入穴の寸法ａ２は連結部の幅ａ１より少し大き目とし、挿入穴１０内で連結部９が調整しろＴの範囲でスムースにスライドできるようになっている。
【００２３】すなわち図２に於いて、表紙差込用ポケットを持った本体Ａ部１と本体Ｂ部２が、挿入穴１０に挿入された連結部９で連結され、その連結長さであるブックカバー総長Ｌは調整しろＴだけ変動可能となっており、ストッパー１２ａ、１２ｂがその可動範囲を制限していると共に、本体Ａ部１と本体Ｂ部２が分離するのを防いでいる。
【００２４】図３は図２の出来上がったブックカバーを実際に本に装着している図である。本の表表紙１３と裏表紙１４がそれぞれブックカバーの差込用ポケット５と８に入れられ、背表紙１５に現れる、異なった本の厚みの変動を、調整しろＴの範囲でブックカバー総長Ｌを調整することによって、ブックカバーが本に、最適で綺麗に装着されることを示す。
【００２５】ここで、最も厚みの薄い本を想定したときに、カバー総長Ｌが最短となり、ちょうど図２がその状態を示している。さらに挿入穴１０の位置Ｌ１は想定する本の厚みの増加分である調整しろＴと、ストッパー部の長さを加えたものから決められることは自明である。
【００２６】裏表紙側ポケット深さｐ２は、上記挿入穴１０の位置Ｌ１より長くして、挿入穴１０を通った連結部９を隠すと共に、平坦なポケット部８内に収め、カバーの安定を良くし、ストッパー部の変形も抑え、外観も非常にすっきりさせている。ポケット深さｐ２の具体的な値としては、先の表表紙側のポケットの深さｐ１の条件の他に上記を考慮して決められ、表紙幅ｂ３の三分の一から三分の二程度の範囲が実際的な値である。
【００２７】図４は装着後の状態を示す。図５は他の実施例であるが、上記説明に於いて、図１に戻り、連結部９を挿入穴１０に挿入する場合、先の矢印１１に換え矢印１６で示す方向に組み入れた場合を示している。本体Ａ部１と本体Ｂ部２は材質や色が同じである必要はなく、好みにより本体Ｂ部２が使用時に多く表面に現れる図５とすることもできる。ただこの場合はストパー部がポケット内に収まらず効果の一部は期待できない。さらに図６も他の実施例で、連結部９を複数に裁断し、デザインを少しかし変えた場合であるが説明は省略する。
【符号の説明】  １      本体Ａ部  ２      本体Ｂ部  ３      折り曲げ線  ４ａ    上のり代部  ４ｂ    下のり代部  ５      表表紙差込用ポケット  ６      折り曲げ線  ７ａ    上のり代部  ７ｂ    下のり代部  ８      裏表紙差込用ポケット  ９      連結部  １０    挿入穴  １１    矢印  １２ａ  上ストッパー  １２ｂ  下ストッパー  １３    本の表表紙  １４    本の裏表紙  １５    本の背表紙  １６    矢印  ａ１    連結部の幅  ａ２    挿入穴の寸法  ａ３    本の表紙の縦寸法  ａ４    ポケット幅  ａ５    ブックカバーの縦寸法  ｐ１    ポケットの深さ  ｐ２    ポケットの深さ  Ｔ      調整しろ  Ｌ      ブックカバー総長  Ｌ１    挿入穴の位置  ｂ１    横幅  ｂ２    横幅  ｂ３    本の表紙の横寸法  ｔ１    本の厚さ  ｃ      曲線部
【図１】
2010162855.tif 000003
【図２】
2010162855.tif 000004
【図３】
2010162855.tif 000005
【図４】
2010162855.tif 000006
【図５】
2010162855.tif 000007
【図６】
2010162855.tif 000008